(57)【要約】【課題】本発明は、プラズマディスプレイ装置及びその駆動方法を改善して、駆動マージンが向上したプラズマディスプレイ装置を提供し、プラズマディスプレイ装置及びその駆動方法を改善して、駆動効率が向上したプラズマディスプレイ装置を提供し、並びに効率的、且つ、安定的に駆動するプラズマディスプレイ装置及びその駆動方法を提供する。【解決手段】本発明の一実施形態に係るプラズマディスプレイ装置は、スキャン電極とサステイン電極との対が複数個形成されたプラズマディスプレイパネルと、前記スキャン電極とサステイン電極のうち、少なくとも一つの電極にＥＲ（ｅｎｅｒｇｙ  ｒｅｃｏｖｅｒｙ）タイムがそれぞれ異なる少なくとも２個以上のサステインパルスを所定の期間の間、所定のサステインパルス個数の比で供給するサステインパルス駆動部とを備える。【選択図】図３
2007156486.tif 000002
【特許請求の範囲】
【請求項１】
スキャン電極とサステイン電極との対が複数個形成されたプラズマディスプレイパネルと、
前記スキャン電極とサステイン電極のうち、少なくとも一つの電極にＥＲ（ｅｎｅｒｇｙ  ｒｅｃｏｖｅｒｙ）タイムのそれぞれ異なる少なくとも２個以上のサステインパルスを所定の期間の間、所定のサステインパルス個数の比で供給するサステインパルス駆動部と、
を備えることを特徴とするプラズマディスプレイ装置。
【請求項２】
前記所定の期間は、少なくとも一つのサブフィールド期間であることを特徴とする請求項１に記載のプラズマディスプレイ装置。
【請求項３】
前記所定のサステインパルス個数の比は、前記サブフィールド期間ごとに異なることを特徴とする請求項２に記載のプラズマディスプレイ装置。
【請求項４】
前記ＥＲタイムは、ＥＲ−ｕｐタイム及びＥＲ−ｄｏｗｎタイムのうち、少なくとも一つであることを特徴とする請求項１に記載のプラズマディスプレイ装置。
【請求項５】
前記サステインパルスは、第１のＥＲ−ｕｐタイムを有する第１のサステインパルス及び前記第１のＥＲ−ｕｐタイムより長い第２のＥＲ−ｕｐタイムを有する第２のサステインパルスを備えることを特徴とする請求項１に記載のプラズマディスプレイ装置。
【請求項６】
前記第１のＥＲ−ｕｐタイムと前記第２のＥＲ−ｕｐタイムとは、５００ｎｓを基準として区分されることを特徴とする請求項５に記載のプラズマディスプレイ装置。
【請求項７】
前記所定のサステインパルス個数の比で前記サステインパルス駆動部を制御するサステインパルス制御部をさらに備えることを特徴とする請求項１に記載のプラズマディスプレイ装置。
【請求項８】
前記サステインパルス制御部は、
最小限の駆動マージンに対応する所定のしきい値を予め設定し、前記所定のサステインパルス個数の比が前記しきい値以下となるように、それぞれのサステインパルスの個数を調整することを特徴とする請求項７に記載のプラズマディスプレイ装置。
【請求項９】
前記しきい値は、
ＥＲタイムの異なる２個のサステインパルスのうち、ＥＲタイムの短いサステインパルスの最小個数とＥＲタイムの長いサステインパルスの最大個数の比であることを特徴とする請求項８に記載のプラズマディスプレイ装置。
【請求項１０】
前記サステインパルス駆動部は、
前記所定のサステインパルス個数の比に応じて、
前記第２のサステインパルスを一つのサブフィールド期間内の最初の所定期間に全て印加し、前記第２のサステインパルスに続き、前記第１のサステインパルスを前記サブフィールド期間内の残りの期間に印加することを特徴とする請求項５に記載のプラズマディスプレイ装置。
【請求項１１】
前記サステインパルス駆動部は、
前記所定のサステインパルス個数の比に応じて、
前記スキャン電極とサステイン電極のうち、いずれか一つの電極に前記第２のサステインパルスをまず供給し、前記第２のサステインパルスに続き、反対電極に前記第１のサステインパルスを供給することを特徴とする請求項５に記載のプラズマディスプレイ装置。
【請求項１２】
前記サステインパルス駆動部は、
前記所定のサステインパルス個数の比に応じて、
前記スキャン電極とサステイン電極のうち、いずれか一つの電極に前記第１のサステインパルス又は第２のサステインパルスを供給し、供給される前記サステインパルスに続き、反対電極にも同じサステインパルスを供給することを特徴とする請求項５に記載のプラズマディスプレイ装置。
【請求項１３】
スキャン電極とサステイン電極との対が複数個形成されたプラズマディスプレイ装置の駆動方法において、
前記スキャン電極とサステイン電極のうち、少なくとも一つの電極にＥＲタイムのそれぞれ異なる少なくとも２個以上のサステインパルスを所定の期間の間、所定のサステインパルス個数の比で供給することを特徴とするプラズマディスプレイ装置の駆動方法。
【請求項１４】
前記所定の期間は、少なくとも一つのサブフィールド期間であることを特徴とする請求項１３に記載のプラズマディスプレイ装置の駆動方法。
【請求項１５】
前記所定のサステインパルス個数の比は、前記サブフィールド期間ごとに異なることを特徴とする請求項１４に記載のプラズマディスプレイ装置の駆動方法。
【請求項１６】
前記ＥＲタイムは、ＥＲ−ｕｐタイム及びＥＲ−ｄｏｗｎタイムのうち、少なくとも一つであることを特徴とする請求項１３に記載のプラズマディスプレイ装置の駆動方法。
【請求項１７】
前記サステインパルスは、第１のＥＲ−ｕｐタイムを有する第１のサステインパルス及び前記第１のＥＲ−ｕｐタイムより長い第２のＥＲ−ｕｐタイムを有する第２のサステインパルスを備えることを特徴とする請求項１３に記載のプラズマディスプレイ装置の駆動方法。
【請求項１８】
前記第１のＥＲ−ｕｐタイムと前記第２のＥＲ−ｕｐタイムとは、５００ｎｓを基準として区分されることを特徴とする請求項１７に記載のプラズマディスプレイ装置の駆動方法。
【請求項１９】
前記所定のサステインパルス個数の比に応じて、
前記第２のサステインパルスを一つのサブフィールド期間内の最初の所定期間に全て印加し、前記第２のサステインパルスに続き、前記第１のサステインパルスを前記サブフィールド期間内の残りの期間に印加することを特徴とする請求項１７に記載のプラズマディスプレイ装置の駆動方法。
【請求項２０】
前記所定のサステインパルス個数の比に応じて、
前記スキャン電極とサステイン電極のうち、いずれか一つの電極に前記第２のサステインパルスをまず供給し、前記第２のサステインパルスに続き、反対電極に前記第１のサステインパルスを供給することを特徴とする請求項１７に記載のプラズマディスプレイ装置の駆動方法。
【請求項２１】
前記所定のサステインパルス個数の比に応じて、
前記スキャン電極とサステイン電極のうち、いずれか一つの電極に前記第１のサステインパルス又は第２のサステインパルスを供給し、供給される前記サステインパルスに続き、反対電極にも同じサステインパルスを供給することを特徴とする請求項１７に記載のプラズマディスプレイ装置の駆動方法。
【請求項２２】
リセット期間、アドレス期間、及びサステイン期間を含む複数のサブフィールドを有するプラズマディスプレイパネルの駆動方法において、
前記複数のサブフィールドは、前記サステイン期間におけるスキャン電極又は／及びサステイン電極に加えられるサステインパルスのＥＲ-タイムの互いに異なるサステインパルスの個数比が互いに異なることを特徴とするプラズマディスプレイ装置の駆動方法。
【発明の詳細な説明】
【技術分野】
【０００１】
本発明は、プラズマディスプレイ装置及びその駆動方法に関する。
【背景技術】
【０００２】
一般に、プラズマディスプレイ装置は、前面基板と後面基板との間に形成された隔壁が一つの単位セルをなすプラズマディスプレイパネルを備える。各セル内には、ネオン（Ｎｅ）、ヘリウム（Ｈｅ）、又はネオン及びヘリウムの混合気体（Ｎｅ＋Ｈｅ）のような主放電気体と少量のキセノンを含有する不活性ガスとが充填されている。高周波電圧により放電されるとき、不活性ガスは真空紫外線（Vacuum Ultraviolet rays）を発生し、隔壁間に形成された蛍光体を発光させて画像が実現される。
【０００３】
図１は、一般なプラズマディスプレイパネルの構造を示した図である。
【０００４】
同図に示すように、プラズマディスプレイパネルは、画像がディスプレイされる表示面の前面基板１０１にスキャン電極１０２とサステイン電極１０３とが対をなして形成された複数の維持電極対が配列された前面パネル１００及び背面をなす後面基板１１１上に前述した複数の維持電極対と交差されるように、複数のアドレス電極１１３が配列された後面パネル１１０が一定距離を隔てて平行に結合される。
【０００５】
前面パネル１００は、一つの放電セルで相互放電させ、セルの発光を維持するためのスキャン電極１０２及びサステイン電極１０３、すなわち、透明なＩＴＯ物質で形成された透明電極ａと金属材質で製作されたバス電極ｂとからなるスキャン電極１０２及びサステイン電極１０３が対をなして備えられる。スキャン電極１０２及びサステイン電極１０３は、放電電流を制限して電極対間を絶縁させる一つ以上の誘電体層１０４により覆われ、当該誘電体層１０４には、放電条件を容易にするために、酸化マグネシウム（ＭｇＯ）を蒸着した保護層１０５が形成される。
【０００６】
後面パネル１１０は、複数個の放電空間、すなわち、放電セルを形成させるためのストライプタイプ（又はウェルタイプ）の隔壁１１２が平行を維持して配列される。また、アドレス放電を行って放電セル内の不活性ガスが真空紫外線を発生させるようにする一つ以上のアドレス電極１１３が隔壁１１２に対して平行に配置される。後面パネル１１０の上側面にはサステイン放電の際、画像表示のために可視光線を放出する赤色（Ｒ）、緑色（Ｇ）、青色（Ｂ）の蛍光体１１４が塗布される。アドレス電極１１３と蛍光体１１４との間にはアドレス電極１１３を保護するための誘電体層１１５が形成される。
【０００７】
このような構造のプラズマディスプレイパネルは、放電セルがマトリックス構造で複数個形成され、放電セルに所定のパルスを供給するための駆動回路を備える駆動部（図示せず）が取り付けられて駆動される。
【０００８】
図２は、従来のプラズマディスプレイ装置の画像を実現する方法を示した図である。
【０００９】
同図に示すように、プラズマディスプレイ装置は、一つのフレーム期間を放電回数の互いに異なる複数個のサブフィールドに分け、入力される映像信号の階調値に該当するサブフィールド期間にプラズマディスプレイパネルを発光させることにより、画像が実現される。
【００１０】
各サブフィールドは、均一に放電を起こすためのリセット期間、放電セルを選択するためのアドレス期間、及び放電回数に応じて階調を実現するサステイン期間に分けられる。例えば、２５６階調で画像を表示しようとする場合に、１／６０秒に該当するフレーム期間（１６．６７ｍｓ）は、８個のサブフィールドに分けられる。
【００１１】
合わせて、８個のサブフィールドの各々は、さらに、リセット期間、アドレス期間、及びサステイン期間に分けられる。ここで、サステイン期間は、各サブフィールドにおいて２ｎ（ｎ＝０、１、２、３、４、５、６、７）の割合で増加される。このように、各サブフィールドにおいてサステイン期間が異なるようになるので、画像の階調を実現できるようになる。
【００１２】
このように、画像を実現するための実際の表示光は、サステイン期間の間、スキャン電極とサステイン電極とに交番に印加されるサステインパルスにより発生する。従来には、サステインパルスを効率的に供給するために、エネルギー回収回路を具備し、Ｌ−Ｃ共振によりサステインパルスを立ち上げたり立ち下げたりした。このようなエネルギー回収回路の動作タイミングに応じてサステインパルスのＥＲ−ｕｐタイムが異なるようになるが、これは、プラズマディスプレイ装置の駆動に影響を及ぼす主な要因として作用する。特に、ＥＲ−ｕｐタイムが短くなるにしたがって駆動効率が減少し、ＥＲ−ｕｐタイムが長くなるにしたがって駆動マージンが低減するという問題がある。
【発明の開示】
【発明が解決しようとする課題】
【００１３】
本発明は、上記の従来の問題を解決するためになされたものであって、その目的は、プラズマディスプレイ装置及びその駆動方法を改善して、駆動マージンが向上したプラズマディスプレイ装置を提供することにある。
【００１４】
また、本発明の他の目的は、プラズマディスプレイ装置及びその駆動方法を改善して、駆動効率が向上したプラズマディスプレイ装置を提供することにある。
【００１５】
なお、本発明のさらに他の目的は、効率的、且つ、安定的に駆動するプラズマディスプレイ装置及びその駆動方法を提供することにある。
【課題を解決するための手段】
【００１６】
そこで、上記の目的を達成するために、本発明の一実施形態に係るプラズマディスプレイ装置は、スキャン電極とサステイン電極との対が複数個形成されたプラズマディスプレイパネルと、前記スキャン電極とサステイン電極のうち、少なくとも一つの電極にＥＲタイムのそれぞれ異なる少なくとも２個以上のサステインパルスを所定の期間の間、所定のサステインパルス個数の比で供給するサステインパルス駆動部とを備えることを特徴とする。
【００１７】
前記所定の期間は、少なくとも一つのサブフィールド期間であることが望ましい。
【００１８】
前記所定のサステインパルス個数の比は、前記サブフィールド期間ごとに異なることが望ましい。
【００１９】
前記ＥＲタイムは、ＥＲ−ｕｐタイム及びＥＲ−ｄｏｗｎタイムのうち、少なくとも一つであることが望ましい。
【００２０】
前記サステインパルスは、第１のＥＲ−ｕｐタイムを有する第１のサステインパルス及び前記第１のＥＲ−ｕｐタイムより長い第２のＥＲ−ｕｐタイムを有する第２のサステインパルスを備えることが望ましい。
【００２１】
前記第１のＥＲ−ｕｐタイムと前記第２のＥＲ−ｕｐタイムとは、５００ｎｓを基準として区分されることが望ましい。
【００２２】
前記所定のサステインパルス個数の比で前記サステインパルス駆動部を制御するサステインパルス制御部をさらに備えることが望ましい。
【００２３】
前記サステインパルス制御部は、最小限の駆動マージンに対応する所定のしきい値を予め設定し、前記所定のサステインパルス個数の比が前記しきい値以下となるようにそれぞれのサステインパルスの個数を調整することが望ましい。
【００２４】
前記しきい値は、ＥＲタイムの異なる２個のサステインパルスのうち、ＥＲタイムの短いサステインパルスの最小個数とＥＲタイムの長いサステインパルスの最大個数の比であることが望ましい。
【００２５】
前記サステインパルス駆動部は、前記所定のサステインパルス個数の比に応じて、前記第２のサステインパルスを一つのサブフィールド期間内の最初の所定期間に全て印加し、前記第２のサステインパルスに続き、前記第１のサステインパルスを前記サブフィールド期間内の残りの期間に印加することが望ましい。
【００２６】
前記サステインパルス駆動部は、前記所定のサステインパルス個数の比に応じて、前記スキャン電極とサステイン電極のうち、いずれか一つの電極に前記第２のサステインパルスをまず供給し、前記第２のサステインパルスに続き、反対電極に前記第１のサステインパルスを供給することが望ましい。
【００２７】
前記サステインパルス駆動部は、前記所定のサステインパルス個数の比に応じて、前記スキャン電極とサステイン電極とのうち、いずれか一つの電極に前記第１のサステインパルス又は第２のサステインパルスを供給し、供給される前記サステインパルスに続き、反対電極にも同じサステインパルスを供給することが望ましい。
【００２８】
また、本発明の一実施形態に係るプラズマディスプレイ装置の駆動方法は、スキャン電極とサステイン電極との対が複数個形成されたプラズマディスプレイ装置の駆動方法において、前記スキャン電極とサステイン電極のうち、少なくとも一つの電極にＥＲタイムのそれぞれ異なる少なくとも２個以上のサステインパルスを所定の期間の間、所定のサステインパルス個数の比で供給することを特徴とする。
【００２９】
前記所定の期間は、少なくとも一つのサブフィールド期間であることが望ましい。
【００３０】
前記所定のサステインパルス個数の比は、前記サブフィールド期間ごとに異なることが望ましい。
【００３１】
前記ＥＲタイムは、ＥＲ−ｕｐタイム及びＥＲ−ｄｏｗｎタイムのうち、少なくとも一つであることが望ましい。
【００３２】
前記サステインパルスは、第１のＥＲ−ｕｐタイムを有する第１のサステインパルス及び前記第１のＥＲ−ｕｐタイムより長い第２のＥＲ−ｕｐタイムを有する第２のサステインパルスを備えることが望ましい。
【００３３】
前記第１のＥＲ−ｕｐタイムと前記第２のＥＲ−ｕｐタイムとは、５００ｎｓを基準として区分されることが望ましい。
【００３４】
前記所定のサステインパルス個数の比に応じて、前記第２のサステインパルスを一つのサブフィールド期間内の最初の所定期間に全て印加し、前記第２のサステインパルスに続き、前記サブフィールド期間内の残りの期間に前記第１のサステインパルスを印加することが望ましい。
【００３５】
前記所定のサステインパルス個数の比に応じて、前記スキャン電極とサステイン電極のうち、いずれか一つの電極に前記第２のサステインパルスをまず供給し、前記第２のサステインパルスに続き、反対電極に前記第１のサステインパルスを供給することが望ましい。
【００３６】
前記所定のサステインパルス個数の比に応じて、前記スキャン電極とサステイン電極のうち、いずれか一つの電極に前記第１のサステインパルス又は第２のサステインパルスを供給し、供給される前記サステインパルスに続き、反対電極にも同じサステインパルスを供給することが望ましい。
【００３７】
また、本発明の一実施形態に係るプラズマディスプレイ装置の駆動方法は、リセット期間、アドレス期間、及びサステイン期間を含む複数のサブフィールドを有するプラズマディスプレイパネルの駆動方法において、前記複数のサブフィールドは、前記サステイン期間におけるスキャン電極又は／及びサステイン電極に加えられるサステインパルスのＥＲ−タイムの互いに異なるサステインパルスの個数比が互いに異なることを特徴とする。
【発明の効果】
【００３８】
本発明は、プラズマディスプレイ装置及びその駆動方法を改善することにより、プラズマディスプレイ装置の駆動時、駆動マージンを確保することができるという効果がある。
【００３９】
また、本発明は、プラズマディスプレイ装置及びその駆動方法を改善することにより、プラズマディスプレイ装置の駆動時、駆動効率を改善することができるという効果がある。
【００４０】
さらに、本発明は、プラズマディスプレイ装置をより効率的、且つ、安定的に駆動することができるという効果がある。
【発明を実施するための最良の形態】
【００４１】
以下、本発明の実施形態を添付された図面を参照して詳細に説明する。
【００４２】
図３は、本発明の一実施形態に係るプラズマディスプレイ装置を説明するための図である。
【００４３】
同図に示すように、本発明の一実施形態に係るプラズマディスプレイ装置は、プラズマディスプレイパネル３００、データ駆動部３１０、スキャン駆動部３２０、サステイン駆動部３３０、及びサステインパルス制御部３４０を備える。同図では、本発明のサステインパルス駆動部をスキャン電極とサステイン電極のそれぞれにサステインパルスを供給するスキャン駆動部３２０及びサステイン駆動部３３０に分けて実現したが、これとは異なり、一つの駆動部でも実現可能である。
【００４４】
プラズマディスプレイパネル３００は、前面基板（図示せず）と後面基板（図示せず）とが合着して形成される。前面基板には、複数のスキャン電極Ｙ１ないしＹｎとサステイン電極Ｚとが形成される。後面基板には、スキャン電極Ｙ１ないしＹｎとサステイン電極Ｚとの電極対と交差されるようにアドレス電極Ｘ１ないしＸｍが複数個形成される。
【００４５】
データ駆動部３１０は、プラズマディスプレイパネル３００に形成されたアドレス電極Ｘ１ないしＸｍにデータを印加する。ここで、データは、外部から入力される映像信号をプラズマディスプレイ装置に適した信号に処理する映像信号処理部（図示せず）で処理された映像信号データである。データ駆動部３１０は、アドレス電圧を有するアドレスパルスを各々のアドレス電極Ｘ１ないしＸｍに供給する。
【００４６】
スキャン駆動部３２０は、リセット期間のセットアップ期間の間、立ち上がりランプ波形Ｒａｍｐ−ｕｐをなすセットアップパルスをスキャン電極Ｙ１ないしＹｎに供給し、また、リセット期間のセットダウン期間の間、立ち下がりランプ波形Ｒａｍｐ−ｄｏｗｎをなすセットダウンパルスをスキャン電極Ｙ１ないしＹｎに供給する。なお、スキャン駆動部３２０は、アドレス期間の間、スキャン電圧のスキャンパルスをスキャン電極Ｙ１ないしＹｎに順次供給する。
【００４７】
スキャン駆動部３２０は、サステイン期間の間にはサステインパルス制御部３４０の制御に応じてサステインパルスをスキャン電極Ｙ１ないしＹｎにＥＲ（Energy Recovery）タイムのそれぞれ異なる少なくとも２個以上のサステインパルスを所定の期間の間、所定のサステインパルス個数の比で供給する。ＥＲタイムは、ＥＲ−ｕｐタイム及びＥＲ−ｄｏｗｎタイムのうち、少なくとも一つであり得る。
【００４８】
例えば、スキャン駆動部３２０は、第１のＥＲ−ｕｐタイムを有する第１のサステインパルス又は第１のＥＲ−ｕｐタイムより長い第２のＥＲ−ｕｐタイムを有する第２のサステインパルスを供給する。または、スキャン駆動部３２０は、第１のＥＲ−ｄｏｗｎタイムを有する第１'のサステインパルス又は第１のＥＲ−ｄｏｗｎタイムより長い第２のＥＲ−ｄｏｗｎタイムを有する第２'のサステインパルスを供給する。スキャン駆動部３２０は、ＥＲ−ｕｐタイム及びＥＲ−ｄｏｗｎタイムの両方とも長い第２”のサステインパルスを供給することができる。
【００４９】
サステイン駆動部３３０は、セットダウン期間又はアドレス期間のうち、一つ以上の期間の間、バイアス電圧を共通接続されたサステイン電極Ｚに供給し、サステイン期間では、サステインパルス制御部３４０の制御下に、スキャン駆動部３２０と交番にＥＲタイムのそれぞれ異なる少なくとも２個以上のサステインパルスを所定の期間の間、所定のサステインパルス個数の比で供給する。ＥＲタイムは、スキャン駆動部３２０の場合と同様に、ＥＲ−ｕｐタイム及びＥＲ−ｄｏｗｎタイムのうち、少なくとも一つであり得る。
【００５０】
サステインパルス制御部３４０は、スキャン駆動部３２０及びサステイン駆動部３３０の動作を制御する。特に、本発明の一実施形態に係るサステインパルス制御部３４０は、所定の期間の間、供給される第１のサステインパルスの個数に対する第２のサステインパルスの個数の比を調整する。ここで、所定の期間は、少なくとも一つのサブフィールド期間に該当する。所定のサステインパルス個数の比は、サブフィールド期間ごとに異なり得る。これについてのより詳細な説明を、以後、図４ないし図９を介して記述する。
【００５１】
図４は、本発明の一実施形態に係るサステインパルスのＥＲ−ｕｐタイムを説明するための図である。
【００５２】
同図に示すように、本発明の一実施形態では、サステインパルスのＥＲ−ｕｐタイム又はＥＲ−ｄｏｗｎタイムを調整する。ＥＲ−ｕｐタイム又はＥＲ−ｄｏｗｎタイムは、Ｌ−Ｃ共振によりプラズマディスプレイ装置にエネルギーを供給し、回収するエネルギー回収回路で調整する。すなわち、エネルギー供給動作によりＥＲ−ｕｐタイムを調整し、エネルギー回収動作によりＥＲ−ｄｏｗｎタイムを調整する。エネルギー供給の動作時、Ｌ−Ｃ共振によりサステインパルスの電圧が立ち上がる時間のうち、サステイン電圧（Ｖｓ）を印加する時点に応じてＥＲ−ｕｐタイムを調整することができる。また、エネルギー回収の動作時、Ｌ−Ｃ共振によりサステインパルスの電圧が立ち下がる時間以前のサステイン電圧（Ｖｓ）を遮断する時点に応じてＥＲ−ｄｏｗｎタイムを調整することができる。
【００５３】
ここで、サステインパルスのＥＲ−ｕｐタイムとピーク輝度との相関関係及びサステインパルスのＥＲ−ｕｐタイムとエネルギー効率との相関関係を、図４を例に挙げて説明すれば、次の通りである。
【００５４】
まず、ｔａないしｔｄは、図４ａないし図４ｄのサステインパルスのＥＲ−ｕｐタイムを示したものである。図４ａは、エネルギー供給及び回収部からサステインパルスの立ち上がり電圧が供給される時間のうち、立ち上がり電圧が最高となる時点を経てサステイン電圧（Ｖｓ）を供給した場合であり、図４ｂは、Ｌ−Ｃ共振により立ち上がり電圧が最高となる時点にサステイン電圧（Ｖｓ）を供給した場合であり、図４ｃは、立ち上がり電圧が最高となる前にサステイン電圧（Ｖｓ）を強制供給した場合であり、図４ｄは、立ち上がり電圧が最高となる前に図４ｃより速くサステイン電圧（Ｖｓ）を供給した場合である。
【００５５】
ＥＲ−ｕｐタイムとサステイン放電によるピーク輝度との相関関係を説明すると、図４ａは、立ち上がり電圧が最高となった後にサステイン電圧（Ｖｓ）が供給されて、立ち上がり電圧に弱い放電を起こす。したがって、ピーク輝度が最も低い。図４ｂは、Ｌ−Ｃ共振により最高立ち上がり電圧に到達する時点で放電を起こして、図４ａよりピーク輝度が高い。図４ｃは、最高立ち上がり電圧に到達する前に、急激に供給されるサステイン電圧（Ｖｓ）に強い放電が発生する。したがって、ピーク輝度が図４ｂより高い。図４ｄは、図４ｃより急激にサステイン電圧（Ｖｓ）が供給されるので、最高のピーク輝度を得ることができる。
【００５６】
ＥＲ−ｕｐタイムとサステインパルスのエネルギー効率との相関関係を説明すれば、図４ａは、十分なＬ−Ｃ共振による立ち上がり電圧が供給されるので、エネルギー効率が最も高い。図４ｂは、図４ａよりＬ−Ｃ共振によるＥＲ−ｕｐタイムが短いので、エネルギー効率が図４ａより低い。図４ｃは、最高立ち上がり電圧に到達する前に、サステイン電圧（Ｖｓ）を印加するので、エネルギー効率が低い。図４ｄは、Ｌ−Ｃ共振によるＥＲ−ｕｐタイムが最も短いので、エネルギー効率が最も低い。このように、本発明の一実施形態に係るサステインパルスのＥＲ−ｕｐタイムに応じてピーク輝度及びエネルギー効率が異なるようになる。
【００５７】
ここで、本発明の一実施形態では、上述した図４ｃと図４ｄの場合、すなわち、ＥＲ−ｕｐタイムの相対的に短いサステインパルスを第１のサステインパルスとし、図４ａと図４ｂの場合、すなわち、ＥＲ−ｕｐタイムの相対的に長いサステインパルスを第２のサステインパルスとする。このような第１のサステインパルスと第２のサステインパルスとについてより詳細に説明すれば、次の図５の通りである。
【００５８】
図５は、本発明の一実施形態に係る第１のサステインパルスと第２のサステインパルスとを説明するための図である。図５ａは本発明の一実施形態に係る第１のサステインパルスを示したものであり、図５ｂは、本発明の一実施形態に係る第２のサステインパルスを示したものである。
【００５９】
図５ａに示すように、第１のサステインパルスは、ＥＲ−ｕｐタイムが短くて駆動マージンの確保が容易である。また、ピーク輝度値が大きいので、画面のロード量が増加するにしたがって画面の輝度が低下するロード現象（load effect）に対する敏感度が低減する。なお、強制的に強い放電を起こすので、プラズマディスプレイパネルの温度変化による誤放電を抑制することができる。
【００６０】
図５ｂに示すように、第２のサステインパルスは、ＥＲ−ｕｐタイムが長いため、十分にエネルギー回収回路を活用することによって、駆動効率を向上させることができる。また、十分な電圧立ち上がりの後、サステインパルスを印加することによって、駆動部のスイッチング素子の負担を減らす。これにより、スイッチング素子で温度が立ち上がることを抑制でき、ＥＭＩ（Electro Magnetic Interference）を低減することができる。
【００６１】
また、弱い放電によりプラズマディスプレイパネルにかかる負担が少なくなるので、残像効果が改善され、パネルの均一性が向上し、放電の際、パネルの震え現象による騷音の発生を低減することができる。また、透明電極間の間隔が狭い場合、例えば、１００μｍ未満であるとき、放電開示電圧を低下させることができ、むしろ輝度立ち上がり効果を得ることができる。
【００６２】
ここで、サステインパルスのＥＲ−ｕｐタイムが５００ｎｓ未満であるときは、第１のサステインパルスの特徴が現れ、サステインパルスのＥＲ−ｕｐタイムが５００ｎｓ以上であるときは、第２のサステインパルスの特徴が現れるので、本発明の一実施形態では、第１のサステインパルスと第２のサステインパルスとの特徴が区分されて現れるＥＲ−ｕｐタイムである５００ｎｓを第１のサステインパルスと第２のサステインパルスを区分する基準であるＥＲ−ｕｐタイムとすることが好ましい。
【００６３】
このような第１のサステインパルスと第２のサステインパルスとの長所を活用するために、本発明の一実施形態では、第１のサステインパルスと第２のサステインパルスとを混用する。このとき、第１のサステインパルスと第２のサステインパルスとを混用するにあたり、その個数の比を次の図６のような駆動マージン曲線を用いて決定する。
【００６４】
図６は、本発明の一実施形態に係るプラズマディスプレイ装置の駆動マージンの特性を説明するための図である。
【００６５】
同図に示すように、第１のサステインパルスの個数（Ｎ）に対する第２のサステインパルスの個数（ｎ）の比（ｎ／Ｎ）に応じるプラズマディスプレイ装置の駆動マージン（Ｖｓ ｍａｒｇｉｎ）をグラフで示したものである。ここで、第１のサステインパルスの個数（Ｎ）に対して第２のサステインパルスの個数（ｎ）が増加するにしたがってプラズマディスプレイ装置の駆動マージン（Ｖｓ ｍａｒｇｉｎ）が減少することが分かる。このように、第１のサステインパルスと第２のサステインパルスとを混用するにあたって、駆動マージンが重要な要素として作用する。
【００６６】
本発明の一実施形態に係るサステインパルス制御部は、プラズマディスプレイ装置の信頼性による最小限の駆動マージンを考慮した所定のしきい値を予め設定する。すなわち、図６に示すように、最小限の駆動マージンを考慮したしきい値（ｎ'／Ｎ'）を予め設定し、第１のサステインパルスの個数（Ｎ）に対する第２のサステインパルスの個数（ｎ）の比（ｎ／Ｎ）がしきい値（ｎ'／Ｎ'）以下となるように所定の期間、例えば、一つのサブフィールド期間に割り当てられる総サステインパルスのうち、第１のサステインパルスの個数（Ｎ）と第２のサステインパルスの個数（ｎ）とを調整する。
【００６７】
望ましくは、最小限の駆動マージンを確保すると共に、第２のサステインパルスの長所を最大限活用するために、第１のサステインパルスの個数に対する第２のサステインパルスの個数の比は、ｎ'／Ｎ'にする。
【００６８】
サステインパルス制御部は、前記しきい値により決定された第１のサステインパルスの個数に対する第２のサステインパルスの個数の比（ｎ'／Ｎ'）に応じて一つのサブフィールド期間の間、供給される第１のサステインパルスの最小個数（Ｎ'）と第２のサステインパルスの最大個数（ｎ'）とを決定する。
【００６９】
一般に、しきい値は、ＥＲタイムの異なる２個のサステインパルスのうち、ＥＲタイムの短いサステインパルスの最小個数とＥＲタイムの長いサステインパルスの最大個数との比である。
【００７０】
サステインパルス駆動部、すなわち、スキャン駆動部とサステイン駆動部は決定された個数の第１のサステインパルスと第２のサステインパルスとをスキャン電極又はサステイン電極に供給する。
【００７１】
これにより、本発明の一実施形態では、駆動マージンを確保すると共に、駆動効率を向上させることができる。また、プラズマディスプレイ装置の入力データ、駆動条件、又は駆動環境が変わるとき、最小駆動マージンを考慮した範囲で適応的に第１のサステインパルス及び第２のサステインパルスの個数を異にすることによって、第１のサステインパルスの長所と第２のサステインパルスの長所とを満遍なく活用できる。
【００７２】
一方、本発明の一実施形態によって、最小駆動マージンを考慮して決定された個数の第１のサステインパルスと第２のサステインパルスとの印加順序は次の図７ないし図９のように多様化することができる。
【００７３】
図７は、本発明の一実施形態に係る第１のサステインパルスと第２のサステインパルスとの供給順序を示した図である。
【００７４】
同図に示すように、本発明の一実施形態に係るサステインパルス駆動部は、サステインパルス制御部で決定されたサステインパルスの個数比に応じて第２のサステインパルスを一つのサブフィールド期間内の最初の所定期間（以後、前半部と称す）に全て供給し、第２のサステインパルスに続き、第１のサステインパルスをサブフィールド期間内の残りの期間（以後、後半部と称す）に供給する。
【００７５】
これにより、駆動マージンと駆動効率を向上させると共に、第２のサステインパルスを一つのサブフィールド期間の前半部に供給することによって、残像特性を改善することができ、以後、残りの期間（後半部）に第１のサステインパルスを供給することによって、強い放電によるプラズマディスプレイパネルの壁電荷状態の安定化を図ることができる。
【００７６】
図８は、本発明の一実施形態に係る他の第１のサステインパルスと第２のサステインパルスとの供給順序を示した図である。
【００７７】
同図に示すように、本発明の一実施形態に係るサステインパルス駆動部は、サステインパルス制御部で決定されたサステインパルスの個数比に応じてスキャン電極とサステイン電極のうち、いずれか一つの電極に第２のサステインパルスをまず供給し、第２のサステインパルスに続き、反対電極に第１のサステインパルスを供給する。
【００７８】
図７では、一つのサブフィールドを基準として第２のサステインパルスを前半部に供給した後、第１のサステインパルスを後半部に供給する方法を使用したが、図８では、これとは異なり、スキャン電極とサステイン電極に交番に印加されるサステインパルス対（即ち、第１のサステインパルス及び第２のサステインパルスの対）の観点からみるとき、第２のサステインパルスをまず供給することによって、残像特性を改善することができ、これに続き、第１のサステインパルスを供給することによって、強い放電によるプラズマディスプレイパネルの壁電荷状態の安定化を図ることができる。図８でもやはりサステインパルスの個数比を予め決定することによって、最小駆動マージンを確保することができ、これと同時に、駆動効率を改善することができる。
【００７９】
図９は、本発明の一実施形態に係るさらに他の第１のサステインパルスと第２のサステインパルスとの供給順序を示した図である。
【００８０】
図９に示すように、本発明の一実施形態に係るサステインパルス駆動部は、サステインパルス制御部で決定されたサステインパルスの個数比に応じてスキャン電極とサステイン電極のうち、いずれか一つの電極に第１のサステインパルス又は第２のサステインパルスを供給し、供給されるサステインパルスに続き、反対電極にも同じサステインパルスを供給する。
【００８１】
スキャン電極とサステイン電極とに交番に印加されるサステインパルス対の観点からみるとき、サステインパルス対を同一のＥＲ−ｕｐタイムで立ち上げるので、より容易に駆動タイミングを調整できるという効果がある。また、均衡的に駆動することができる。図９でもやはりサステインパルスの個数比を予め決定することによって、最小駆動マージンを確保することができ、これと同時に、駆動効率を改善することができる。
【００８２】
本発明の一実施形態に係るプラズマディスプレイ装置の駆動方法は、図３ないし図９において、本発明のプラズマディスプレイ装置の各機能部の動作特性を介して既に十分に説明したので、省略する。
【００８３】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００８４】
【図１】一般のプラズマディスプレイパネルの構造を示した図である。
【図２】従来のプラズマディスプレイ装置の画像を実現する方法を示した図である。
【図３】本発明の一実施形態に係るプラズマディスプレイ装置を説明するための図である。
【図４】本発明の一実施形態に係るサステインパルスのＥＲ−ｕｐタイムを説明するための図である。
【図５】本発明の一実施形態に係る第１のサステインパルスと第２のサステインパルスとを説明するための図である。
【図６】本発明の一実施形態に係るプラズマディスプレイ装置の駆動マージンの特性を説明するための図である。
【図７】本発明の一実施形態に係る第１のサステインパルスと第２のサステインパルスとの供給順序を示した図である。
【図８】本発明の一実施形態に係る他の第１のサステインパルスと第２のサステインパルスとの供給順序を示した図である。
【図９】本発明の一実施形態に係るさらに他の第１のサステインパルスと第２のサステインパルスとの供給順序を示した図である。
【図１】
2007156486.tif 000003
【図２】
2007156486.tif 000004
【図３】
2007156486.tif 000005
【図４】
2007156486.tif 000006
【図５】
2007156486.tif 000007
【図６】
2007156486.tif 000008
【図７】
2007156486.tif 000009
【図８】
2007156486.tif 000010
【図９】
2007156486.tif 000011